(57)【要約】【課題】  時報サービスにおける時報信号を受信したときの聞きづらさを解消する。【解決手段】  時報信号を含む時報アナウンスの音声信号を取得して、時報信号の４４０Ｈｚおよび８８０Ｈｚを検出して、時報信号に同期したタイミング信号をタイミング抽出部１０に与えるとともに、時報信号の信号パターンに対応したアドレスを波形ＲＯＭ１１に与える。フィルタ部９は、ＣＰＵ１から入力される音声信号から時報信号を除去する。タイミング抽出部１０は、抽出したタイミング信号に応じて読出制御信号を波形ＲＯＭ１１に与えて、時報信号の代わりとなるＰＣＭ波形信号を読み出す。ミキサ部１２は、時報信号が除去された音声信号と時報信号の代わりとなるＰＣＭ波形信号とを合成してスピーカ１３から発音させる。【選択図】  図１
2005341328.tif 000002
【特許請求の範囲】
【請求項１】
所定の無線通信網を介して得られた受信信号から時報を表す特定の周波数の時報信号を検出する検出手段と、
この検出手段によって前記時報信号が検出されたときは、当該時報信号を擬似時報信号に代える制御手段と、
を有する通信端末装置。
【請求項２】
前記制御手段は、前記時報信号のタイミングに同期して当該時報信号の発信源における元時報信号と同一の周波数の擬似時報信号を当該時報信号に代えることを特徴とする請求項１に記載の通信端末装置。
【請求項３】
前記制御手段は、所定の記憶手段に記憶されている特定の周波数の波形信号を読み出して前記擬似時報信号とすることを特徴とする請求項１に記載の通信端末装置。
【請求項４】
前記制御手段は、前記通信手段を介して取得した受信信号から前記検出手段によって検出された前記時報信号を除去するフィルタ手段と、このフィルタ手段からの出力信号と前記記憶手段から読み出した波形信号とを合成する合成手段とをさらに備え、この合成手段で合成された信号に基づく音響信号を所定の発音手段に出力することを特徴とする請求項３に記載の通信端末装置。
【請求項５】
前記制御手段は、前記検出手段によって検出された前記時報信号を出力することなく、当該時報信号に代えて前記擬似時報信号を生成して出力することを特徴とする請求項１に記載の通信端末装置。
【請求項６】
所定の無線通信網を介して得られた受信信号から時報を表す特定の周波数の時報信号を検出する第１のステップと、
この第１のステップによって前記時報信号が検出されたときは、当該時報信号を擬似時報信号に代える第２のステップと、
を実行する通信制御処理のプログラム。
【発明の詳細な説明】
【技術分野】
【０００１】
本発明は、通信端末装置および通信制御処理のプログラムに関し、特に、時報サービスを受けた場合に信号処理を行う通信端末装置および通信制御処理のプログラム関するものである。
【背景技術】
【０００２】
現在の正確な時刻を知るために「１１７番」の時報サービスは、携帯電話などの通信端末装置においても広く利用されている。携帯電話における時報サービスの利用に関しては、多くの先行技術がある。
例えば、携帯電話機の時刻設定方法および携帯電話機の提案は、安定確実な動作により時刻設定を行い得るために、使用者が時刻設定モードをオンにすることにより、予め記憶してある時報サービスのダイヤル番号に自動発信すると共に、音声認識機能を動作開始し、網からの時報サービスの信号を無線受信して得た音声信号を、音声認識機能により音声認識し、その音声認識して得た時刻に時計機能を設定し、かつ、表示部に表示した後、時報サービスの信号を無線受信して得た時報音の音声信号の音声認識機能による音声認識結果に基づいて、時計機能の歩進動作を開始させるような構成になっている。（特許文献１）
また、自動時刻設定装置の提案は、通信回線を用いて呼び出した時報サービスから抽出した時報アナウンスの音声認識率を向上させて誤りなく時刻設定を行うために、音声認識した時報アナウンスの認識した時報情報を複数回サンプルし、サンプルした複数の時報情報が連続性を有するか否かを判別し、連続しているとの判別結果に基づいて時計の時刻を時報サービスの時報音のタイミングで設定することにより、入力される種々の雑音の影響を防止する。（特許文献２）
【０００３】
一方、携帯電話などの通信端末装置においては、内部時計の自動設定機能があるので、スイッチ操作によって、「メニュー画面」、「設定画面」、「時計」、「時計設定」、「自動設定」を順に選択することにより、正確な時刻に合わせることは可能である。しかし、携帯電話などの時刻表示は「分」単位であるので、腕時計や壁時計などの時刻を正確に合わせるために、携帯電話から「１１７番」に発信して時報サービスを受ける場合がある。あるいは、電車などの交通機関に乗るために急いでいる場合には、上記のような煩雑なスイッチ操作でなく、「１１７番」に発信して時報サービスを受ける方が便利である。
また、上記先行技術の文献（特許文献１、特許文献２）には記載されていないが、時報サービスの信号を無線受信して得た時報音の音声信号をスピーカでモニターすることも可能である。
【特許文献１】特開２００１−７７８８８号公報
【特許文献２】特開平６−１５２７７６号公報
【発明の開示】
【発明が解決しようとする課題】
【０００４】
近年の携帯電話の移動通信システムであるＣＤＭＡ（符号分割多元接続）方式では、送信側において、ユーザを区別するためのＰＮ（擬似雑音信号）符号を用いて、クロック周波数が音声信号を構成する周波数帯域の数十倍以上のＰＮ符号を音声信号に乗算し、送信周波数のスペクトルを拡散する。受信側においては、受信したときと同じＰＮ符号を乗算して復調する。このＣＤＭＡ方式によって、帯域幅当たりのチャンネル数が多くなり、フェージングに強くなり、秘話性も高くなる。
しかしながら、時報サービスにおける時報信号のように、一定の周波数が連続する場合にはスピーカから聞こえる音の歪みが大きく、音質の低下が著しく聞きづらいという課題があった。
本発明は、このような従来の課題を解決するためのものであり、時報サービスにおける時報信号を受信したときの、聞きづらさを解消することを目的とする。
【課題を解決するための手段】
【０００５】
請求項１に記載の通信端末装置は、無線通信網を介して得られた受信信号から時報を表す特定の周波数の時報信号（実施形態においては、ＲＦブロック４によって復号化された時刻信号に含まれる４４０Ｈｚおよび８８０Ｈｚの３種類の信号パターンに相当する）を検出する検出手段（実施形態においては、図１および図５のＣＰＵ１に相当する）と、この検出手段によって時報信号が検出されたときは、当該時報信号を擬似時報信号（実施形態においては、図１および図５における波形ＲＯＭ１１から読み出されるＰＣＭ波形信号、又は、ＣＰＵ１で生成される波形信号に相当する）に代える制御手段（実施形態においては、図１および図５のＣＰＵ１に相当する）と、を有する構成になっている。
【０００６】
請求項１の通信端末装置において、請求項２に記載したように、制御手段は、時報信号のタイミングに同期して、当該時報信号の発信源における元時報信号（実施形態においては、時報サービスを提供する電話局のオリジナルの元時報信号に相当する）と同一の周波数の擬似時報信号を、当該時報信号に代えるような構成にしてもよい。
請求項１の通信端末装置において、請求項３に記載したように、制御手段は、所定の記憶手段（実施形態においては、図１および図５の波形ＲＯＭ１１に相当する）に記憶されている特定の周波数の波形信号を読み出して擬似時報信号とするような構成にしてもよい。
請求項３の通信端末装置において、請求項４に記載したように、制御手段は、通信手段を介して取得した受信信号から検出手段によって検出された時報信号を除去するフィルタ手段（実施形態においては、図１のフィルタ部９に相当する）と、このフィルタ手段からの出力信号と記憶手段から読み出した波形信号とを合成する合成手段（実施形態においては、図１および図５のミキサ部１２に相当する）とをさらに備え、この合成手段で合成された信号に基づく音響信号（実施形態においては、アナログ音声信号に相当する）を所定の発音手段（実施形態においては、図１および図５のスピーカ１３に相当する）に出力するような構成にしてもよい。
請求項１の通信端末装置において、請求項５に記載したように、制御手段は、検出手段によって検出された時報信号を出力することなく、当該時報信号に代えて擬似時報信号を生成して出力するような構成にしてもよい。
【０００７】
請求項６に記載の通信制御処理のプログラムは、所定の無線通信網を介して得られた受信信号から時報を表す特定の周波数の時報信号を検出する第１のステップと、この第１のステップによって時報信号が検出されたときは、当該時報信号を擬似時報信号に代える第２のステップと、を実行する構成になっている。
各ステップは、図１および図５のＣＰＵ１の処理に相当する。
【発明の効果】
【０００８】
本発明の通信端末装置および通信制御処理のプログラムによれば、時報サービスにおける時報信号を受信したときの、聞きづらさを解消できるという効果が得られる。
【発明を実施するための最良の形態】
【０００９】
以下、本発明による通信端末装置の第１実施形態ないし第３実施形態について、携帯電話を例に採って説明する。
図１は、第１実施形態における携帯電話の構成を示すブロック図である。図１において、ＣＰＵ１は、ベースバンド信号処理のＤＳＰ（ディジタル・シグナル・プロセッサ）を内蔵したワンチップＩＣで構成されている。ＣＰＵ１のシステムバスには、プログラムＲＯＭ２、ワークＲＡＭ３、ＲＦブロック４、スイッチ部５、および、表示ドライバ６が接続されている。ＣＰＵ１は、これら各部との間でコマンドおよびデータの授受を行ってこの携帯電話を制御する。また、ＣＰＵ１の入出力ポートには、マイク８および発音回路が接続されている。発音回路については後述する。
【００１０】
プログラムＲＯＭ２には、他の携帯電話と通話やメールを送受信する機能、および、システムバスに接続された各部を制御する機能を実行する通信制御処理のプログラムなどが格納されている。ワークＲＡＭ３は、ＣＰＵ１によって処理されるデータを一時的にストアするもので、通信制御処理のプログラムの実行に必要な各種のレジスタやフラグのエリアなどが設けられている。
ＲＦブロック４は、ＣＤＭＡ（符号分割多元接続）の通信方式に基づいて、無線通信網との間で通話やメールを送受信する。すなわち、無線通信網から受信したスペクトル拡散された複数のチャネルの中から、この携帯電話に固有のＰＮ符号によって自己宛のチャネルの符号化音声信号を復号化し、ベースバンド信号に変換してＣＰＵ１に入力する。また、ＣＰＵ１から出力されたベースバンド信号の音声信号をＰＮ符号によって符号化し、スペクトル拡散して無線通信網に送信する。
スイッチ部５は、電源スイッチ、オフフックスイッチ、オンフックスイッチ、クリアスイッチ、ダイヤルスイッチ、発信スイッチ、その他のスイッチなどで構成されている。
表示ドライバ６には、ＬＣＤ（液晶ディスプレイ）などからなる表示部７が接続されており、スイッチ部５の操作に応じたメニュー画面や送受信の状態を示す画面などを表示する。
【００１１】
ＣＰＵ１に接続された発音回路は、フィルタ部９、タイミング抽出部１０、波形ＲＯＭ１１、ミキサ部１２、およびスピーカ１３で構成されている。フィルタ部９は、ＣＰＵ１から出力される音声信号の中に含まれている時報信号を構成する４４０Ｈｚおよび８８０Ｈｚの２つの周波数を除去するフィルタ回路を備えている。時報信号の音色すなわち信号パターンは３種類で構成され、１０秒ごとの信号パターン１、５７，５８，５９秒および２７，２８，２９秒の信号パターン２、それ以外の各秒の信号パターン３が、４４０Ｈｚ、８８０Ｈｚ、および４４０Ｈｚと８８０Ｈｚとの組み合わせで構成されている。ただし、これら信号パターン１，２，３は、ＣＤＭＡの符号化音声信号を復号化したことにより、波形歪みに起因する周波数成分を含んでいる。この時報信号が除去されてフィルタ部９から出力される音声信号は、通常の電話による相手からの音声信号、時報サービスにおけるアナウンス音声信号、すなわち、「午前＊＊時＊＊分＊＊秒（ちょうど）をお知らせします」の音声信号、および着信音や呼出音の音声信号となる。
タイミング抽出部１０は、ＣＰＵ１から出力されるタイミング信号を抽出し、そのタイミング信号に同期した読出制御信号を波形ＲＯＭ１１に与える。同時に、ＣＰＵ１は、３種類の時報信号の信号パターンを検出して、各種類の信号パターンに対応するアドレスを波形ＲＯＭ１１に与える。
波形ＲＯＭ１１は、３つのアドレスＡ，Ｂ，Ｃのエリアに３種類の音色に対応するＰＣＭ波形信号を記憶している。この３種類の波形信号は、歪みのない時報信号と同じ音色で構成されている。すなわち、４４０Ｈｚ、８８０Ｈｚ、および４４０Ｈｚと８８０Ｈｚとの組み合わせになっている。波形ＲＯＭ１１は、タイミング抽出部１０から出力される読出制御信号に応じて、ＣＰＵ１から出力されるアドレス（アドレスＡ，Ｂ，Ｃ）のエリアのＰＣＭ波形信号をミキサ部１２に出力する。ミキサ部１２は、フィルタ部９から出力される音声信号と波形ＲＯＭ１１から出力されるＰＣＭ波形信号とを合成して、アナログ音声信号に変換してスピーカ１３に出力する。
【００１２】
次に、第１実施形態の動作について、図２ないし図４に示すＣＰＵ１のフローチャートを参照して説明する。
図２および図３は、メインルーチンのフローチャートである。図２において、所定のイニシャライズ（ステップＳＡ１）の後、表示部７に待受画面を表示する（ステップＳＡ２）。次に、オフフックスイッチがオンされたか否かを判別する（ステップＳＡ３）。このスイッチがオンでない場合には、その他の処理を行って（ステップＳＡ４）、ステップＳＡ２において待受画面を表示する。オフフックスイッチがオンされたときは、表示部７に番号入力の画面を表示して(ステップＳＡ５)、入力された番号をワークＲＡＭ３にストアする番号入力処理を行う（ステップＳＡ６）。次に、発信スイッチがオンされたか否かを判別し（ステップＳＡ７）、このスイッチがオンでない場合には、クリアスイッチがオンされたか否かを判別する（ステップＳＡ８）。このスイッチがオンされたときはステップＳＡ２において待受画面を表示するが、このスイッチがオンでない場合には、ステップＳＡ６の番号入力処理を行う。
【００１３】
ステップＳＡ７において、発信スイッチがオンされたときは、その発信の入力番号が時報サービスを受ける「１１７」であるか否かを判別する（ステップＳＡ９）。入力番号が「１１７」である場合には、フラグＦを「１」にセットする（ステップＳＡ１０）。フラグＦをセットした後、又は、ステップＳＡ９において入力番号が「１１７」以外の番号である場合には、入力された番号を無線通信網に対して発信する（ステップＳＡ１１）。また、呼び出しの音声信号をフィルタ部９に出力し、ミキサ部１２を経由して、スピーカ１３によって呼出報知を行う(ステップＳＡ１２)。そして、無線通信網との間で回線接続が確立したか否かを判別する（ステップＳＡ１３）。回線接続が確立したときは、図３のフローチャートにおいて、通話処理に遷移する（ステップＳＡ１４）。
【００１４】
通話処理に遷移すると、フラグＦが「１」であるか否かを判別する（ステップＳＡ１５）。Ｆが「１」である場合、すなわち、時報サービスとの間で回線接続が確立したときは、時刻信号の検出を行う。信号パターン１（１０秒ごとの音色）を検出したか否かを判別し（ステップＳＡ１６）、この信号パターンを検出したときはアドレスＡとタイミング信号を送出する（ステップＳＡ１７）。この場合には、歪みを含んでいる信号パターン１の代わりに、歪みのないＰＣＭの波形信号が波形ＲＯＭ１１のアドレスから読み出されて、フィルタ部９からの時報アナウンスの音声信号とミキサ部１２で合成されて、高い音質の１０秒ごとの時刻音がスピーカ１３から発音される。
信号パターン１を検出しない場合には、信号パターン２（５７，５８，５９秒および２７，２８，２９秒の音色）を検出したか否かを判別し（ステップＳＡ１８）、この信号パターンを検出したときはアドレスＢとタイミング信号を送出する（ステップＳＡ１９）。この場合には、歪みを含んでいる信号パターン２の代わりに、歪みのないＰＣＭの波形信号による高い音質の５７，５８，５９秒および２７，２８，２９秒の時刻音がスピーカ１３から発音される。
信号パターン１および信号パターン２を検出しない場合には、信号パターン３（信号パターン１および信号パターン２以外の各秒の音色）を検出したか否かを判別し（ステップＳＡ２０）、この信号パターンを検出したときはアドレスＣとタイミング信号を送出する（ステップＳＡ２１）。この場合には、歪みを含んでいる信号パターン２の代わりに、歪みのないＰＣＭの波形信号による高い音質の各秒の時刻音がスピーカ１３から発音される。
【００１５】
この時報サービスの通話処理、又は、ステップＳＡ１５においてＦが「０」の場合における他の通話処理において、オンフックスイッチがオンされたか否かを判別し（ステップＳＡ２２）、このスイッチがオンでない場合には通話処理を継続するが、このスイッチがオンされたときは回線切断などの終話処理を行う（ステップＳＡ２３）。このとき、フラグＦが「１」であるか否かを判別し（ステップＳＡ２４）、Ｆが「１」である場合には、Ｆを「０」にリセットする（ステップＳＡ２５）。Ｆをリセットした後、又は、ステップＳＡ２４でＦが「０」である場合には、図２のステップＳＡ２に移行して再び待受画面を表示する。
【００１６】
図４は、着信検知処理のフローチャートである。着信を検知したときは、着信音の音声信号をフィルタ部９に出力し、ミキサ部１２を介してスピーカ１３によって着信報知を行ない（ステップＳＢ１）、オフフックスイッチがオンされたか否かを判別する（ステップＳＢ２）。オフフックスイッチがオンされたときは、通話処理に遷移してマイク８およびスピーカ１３を介して相手との通話を行う（ステップＳＢ３）。通話中においては、オンフックスイッチがオンされたか否かを判別し（ステップＳＢ４）、オンフックスイッチがオンされたときは、回線切断などの終話処理を行って（ステップＳＢ５）、メインルーチンに戻る。
【００１７】
以上のように、この第１実施形態によれば、ＣＰＵ１は、無線通信網を介して得られた受信信号から時報信号を含む時報アナウンスの音声信号を取得して、フィルタ部９に出力し、時報信号の特定の周波数である４４０Ｈｚおよび８８０Ｈｚを検出して、時報信号に同期したタイミング信号をタイミング抽出部１０に与えるとともに、時報信号の信号パターンに対応したアドレスを波形ＲＯＭ１１に与える。フィルタ部９は、ＣＰＵ１から入力される音声信号から時報信号を除去する。タイミング抽出部１０は、抽出したタイミング信号に応じて読出制御信号を波形ＲＯＭ１１に与えて、時報信号の代わりとなるＰＣＭ波形信号を読み出す。ミキサ部１２は、時報信号が除去された音声信号と時報信号の代わりとなるＰＣＭ波形信号とを合成してスピーカ１３から発音させる。したがって、時報サービスによって受信した歪みを含んでいる時報信号の代わりに、高い音質のＰＣＭ波形信号で時報を聞くことにより、聞きづらさを解消することができる。
【００１８】
この場合において、ＣＰＵ１は、受信した時報信号のタイミングに同期して、時報信号の発信源、すなわち時報サービスの電話局におけるオリジナルの元時報信号と同一の周波数のＰＣＭ波形信号に代える。したがって、固定電話機によって受信するアナログ回線からの時報サービスの場合と同等又はそれ以上の高い音質で時報信号を聞くことができる。
【００１９】
なお、この第１実施形態においては、タイミング抽出部１０は、ＣＰＵ１から出力されるタイミング信号を抽出して、読出制御信号を波形ＲＯＭ１１に与える構成にしたが、フィルタ部９において除去した４４０Ｈｚおよび８８０Ｈｚの時報信号をタイミング信号としてタイミング抽出部１０に与える構成にしてもよい。この場合には、時報アナウンスの音声信号から除去した時報信号と、その除去した後の音声信号に挿入するＰＣＭ波形信号との移相の一致を回路定数の設定、すなわちハードウェアだけで調整することができる。
【００２０】
図５は、第２実施形態における携帯電話の構成を示すブロック図である。図５において、図１に示した第１実施形態の構成要素と同じものは同一の符号で示されている。図５から明らかなように、第２実施形態における携帯電話には、図１におけるフィルタ部９およびタイミング抽出部１０が設けられていない。
第２実施形態においては、ＣＰＵ１は、受信した時報信号を内部のＤＳＰによるディジタル信号処理で除去し、その時報信号に同期したタイミング信号を読出制御信号として、波形ＲＯＭ１１に直接与える構成になっている。したがって、ＣＰＵ１の動作については、図２ないし図４に示した第１実施形態のフローチャートと同じである。
【００２１】
以上のように、この第２実施形態によれば、第１実施形態と同様に、ＣＰＵ１は、無線通信網を介して得られた受信信号から時報を表す特定の周波数である４４０Ｈｚおよび８８０Ｈｚの時報信号を検出して、その検出した時報信号に代えて波形ＲＯＭ１１から読み出したＰＣＭ波形信号を出力する。したがって、時報サービスによって受信した歪みを含んでいる時報信号の代わりに、高い音質のＰＣＭ波形信号で時報を聞くことにより、聞きづらさを解消することができる。
【００２２】
次に、第３実施形態について説明する。
第３実施形態においては、図５に示した波形ＲＯＭ１１およびミキサ部１２の機能を内部のＤＳＰに組み込んだ構成になっている。すなわち、スピーカ１３が直接ＣＰＵ１に接続された簡単な構成であるので、そのブロック図は省略する。時報信号は、２つの単純な周波数である４４０Ｈｚおよび８８０Ｈｚで構成されている上、時報信号のインターバルが１秒間隔であるので、ＣＰＵ１から見れば極めて遅いタイミングになっている。このため、ＰＬＬ回路などの位相制御回路をＤＳＰに組み込むことによって、時報信号と同期した擬似時報信号をＤＳＰで生成することが可能である。
【００２３】
以上のように、この第３実施形態によれば、ＣＰＵ１は、検出した時報信号を出力することなく、その時報信号に代えて歪みのない擬似時報信号を生成して出力する。したがって、時報サービスによって受信した歪みを含んでいる時報信号の代わりに、高い音質のＰＣＭ波形信号で時報を聞くことにより、聞きづらさを解消することができる。また、この第３実施形態によれば、スピーカ１３以外の発音回路をワンチップＩＣのＣＰＵ１に組む込むことで、時報信号に代わる擬似時報信号を生成するための追加部品が不要になり、そのためのコストアップを回避することができる。
【００２４】
なお、上記各実施形態においては、プログラムＲＯＭ２にあらかじめ記憶された通信制御処理のプログラムをＣＰＵ１が実行する装置の発明について説明したが、ＲＦブロック４により無線通信網を介してアクセスした外部のサーバから、通信制御処理のプログラムをダウンロードして、フラッシュＲＯＭなどの書き換え可能な不揮発性ＲＯＭにインストールして、その通信制御処理のプログラムをＣＰＵが実行する構成も可能である。この場合には、プログラムの発明を実現することができる。
【００２５】
すなわち、その通信制御処理のプログラムは、所定の無線通信網を介して得られた受信信号から時報を表す特定の周波数の時報信号を検出する第１のステップと、この第１のステップによって前記時報信号が検出されたときは、当該時報信号を擬似時報信号に代える第２のステップと、を実行する。
【図面の簡単な説明】
【００２６】
【図１】本発明の第１実施形態における携帯電話の構成を示すブロック図。
【図２】図１におけるＣＰＵのメインルーチンの動作を示すフローチャート。
【図３】図２に続くＣＰＵのメインルーチンのフローチャート。
【図４】図１におけるＣＰＵの着信検知処理のフローチャート。
【図５】本発明の第２実施形態における携帯電話の構成を示すブロック図。
【符号の説明】
【００２７】
１  ＣＰＵ
２  プログラムＲＯＭ
３  ワークＲＡＭ
４  ＲＦブロック
５  スイッチ部
６  表示ドライバ
７  表示部
８  マイク
９  フィルタ部
１０  タイミング抽出部
１１  波形ＲＯＭ
１２  ミキサ部
１３  スピーカ
【図１】
2005341328.tif 000003
【図２】
2005341328.tif 000004
【図３】
2005341328.tif 000005
【図４】
2005341328.tif 000006
【図５】
2005341328.tif 000007